【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
薬剤を保持する薬剤容器上の第一のラベルからの処方された薬剤データ、および患者によって装着されるように適合されたタグ上の第二のラベルからの患者データと通信し得、そしてこれらのデータを一致させ得る、薬剤送達システムであって、該第一のラベルはまた、該薬剤の送達の指示を含み、そして該薬剤データおよび該患者データは、機械読取り可能な形式で提供され、該薬剤送達システムは、以下：
（ａ）該薬剤容器と連絡する医療デバイスであって、該医療デバイスは、該容器から該患者へと薬剤を送達するように適合されており、該医療デバイスは、情報を受信するためのデータポートを有する、医療デバイス；および
（ｂ）携帯型電算デバイスであって、該携帯型電算デバイスは、該処方された薬剤データおよび該患者データを読み取り、そして該データを比較して、該薬剤データと該患者データとの間の一致を確認するための手段を有し、該携帯型電算デバイスは、該薬剤送達指示を、該携帯型電算デバイスから該医療デバイスへと伝達し得る、トランスミッタを有し、該医療デバイスは、該薬剤を、該指示に従って、該患者に送達するように適合されている、携帯型電算デバイス、
を備える、薬剤送達システム。
【請求項２】
前記携帯型電算デバイスが、パーソナルデジタルアシスタントである、請求項１に記載の薬剤送達システム。
【請求項３】
前記処方された薬剤および該処方された薬剤の前記送達の指示の、前記機械読取り可能データが、線形バーコード、二次元バーコード、印刷されたデータ符号化技術、高周波数同定技術、磁気ストライプまたはテープ、光学特徴認識技術、および光学ホログラムからなる群より選択される形式で符号化されている、請求項１に記載の薬剤送達システム。
【請求項４】
前記機械読取り可能な処方された薬剤データおよび薬剤送達指示が、二次元バーコードで符号化されている、請求項１に記載の薬剤送達システム。
【請求項５】
前記機械読取り可能な患者データが、線形バーコード、二次元バーコード、印刷されたデータ符号化技術、高周波数同定技術、磁気ストライプまたはテープ、光学特徴認識技術、および光学ホログラムからなる群より選択される形式で符号化されている、請求項１に記載の薬剤送達システム。
【請求項６】
前記機械読取り可能な患者データが、二次元バーコードで符号化されている、請求項１に記載の薬剤送達システム。
【請求項７】
前記薬剤データの第一のラベルが、テキストと統合された二次元バーコードである、請求項１に記載の薬剤送達システム。
【請求項８】
前記患者データの第二のラベルが、テキストと統合された二次元バーコードである、請求項１に記載の薬剤送達システム。
【請求項９】
前記薬剤データの第一のラベルが、テキストと統合された高周波数同定プログラミングである、請求項１に記載の薬剤送達システム。
【請求項１０】
前記患者データの第二のラベルが、テキストと統合された高周波数同定プログラミングである、請求項１に記載の薬剤送達システム。
【請求項１１】
前記処方された薬剤データ、前記薬剤送達指示、および前記患者データを読み取るための前記手段が、バーコードスキャナ、高周波数同定読取器、磁気ストライプまたはテープ読取器、および光学読取器からなる群より選択される、請求項１に記載の薬剤送達システム。
【請求項１２】
前記携帯型電算デバイスの前記処方された薬剤データ、前記薬剤送達指示、および前記患者データを読み取るための前記手段が、二次元バーコードスキャナである、請求項１に記載の薬剤送達システム。
【請求項１３】
前記携帯型電算デバイスの前記トランスミッタが、赤外線トランシーバーである、請求項１に記載の薬剤送達システム。
【請求項１４】
前記医療デバイスが、電気注入ポンプである、請求項１に記載の薬剤送達システム。
【請求項１５】
前記薬剤送達デバイスが、前記携帯型電算デバイスと該薬剤送達デバイスとの間の通信を容易にするためのアダプタをさらに有する、請求項１に記載の薬剤送達システム。
【請求項１６】
薬剤送達システムであって、以下：
（ａ）薬剤を保持する容器であって、該容器は、機械読取り可能な形式の第一のバーコードラベルを有し、該バーコードラベルは、薬剤データおよび該薬剤を送達するための予め決定されたポンプの設定の指示を含む、容器；
（ｂ）患者によって装着されるように適合されたタグであって、該タグは、患者データを含む、機械読取り可能な形式の第二のバーコードラベルを有する、タグ；
（ｃ）該薬剤容器と連絡する注入ポンプであって、該ポンプは、該薬剤を、該容器から、カテーテルを介して該患者へと送達するように適合されており、該注入ポンプは、少なくとも１つの送達チャネルを有し、そして該ポンプは、情報を受信するためのデータポートを有する、注入ポンプ；および
（ｄ）パーソナルデジタルアシスタントであって、バーコードスキャナおよびデータトランスミッタを有し、該パーソナルデジタルアシスタントは、該第一のバーコードラベルおよび該第二のバーコードラベルを走査し、そして該走査されたラベルからのデータを比較して、該薬剤データと該患者データとの間の一致を確認するように構成されており、該パーソナルデジタルアシスタントのトランスミッタは、予め決定されたポンピングの設定の指示を、該パーソナルデジタルアシスタントから該注入ポンプに伝達し得、該ポンプは、該指示に従って、該薬剤を該患者に送達するように適合されている、パーソナルデジタルアシスタント、
を備える、薬剤送達システム。
【請求項１７】
前記容器が、ＩＶバッグであり、そして前記薬剤が、ＩＶ薬物である、請求項１６に記載の薬剤送達システム。
【請求項１８】
前記患者データを含むタグが、前記患者によって装着されるように適合された腕輪である、請求項１６に記載の薬剤送達システム。
【請求項１９】
前記機械読取り可能な形式の第一のバーコードが、二次元バーコードである、請求項１６に記載の薬剤送達システム。
【請求項２０】
前記機械読取り可能な形式の第二のバーコードが、二次元バーコードである、請求項１６に記載の薬剤送達システム。
【請求項２１】
前記薬剤データの第一のラベルが、テキストと統合された二次元バーコードである、請求項１６に記載の薬剤送達システム。
【請求項２２】
前記患者データの第二のラベルが、テキストと統合された二次元バーコードである、請求項１６に記載の薬剤送達システム。
【請求項２３】
前記パーソナルデジタルアシスタントのバーコードスキャナが、二次元バーコードスキャナである、請求項１６に記載の薬剤送達システム。
【請求項２４】
前記パーソナルデジタルアシスタント上のデータトランスミッタが、赤外線トランシーバーであり、そして前記ポンプ上の、情報を受信するためのデータポートが、赤外線トランシーバーである、請求項１６に記載の薬剤送達システム。
【請求項２５】
前記注入ポンプが、前記パーソナルデジタルアシスタントと該注入ポンプとの間の通信を容易にするためのアダプタをさらに有する、請求項１６に記載の薬剤送達システム。
【請求項２６】
前記注入ポンプのアダプタが、該注入ポンプと前記パーソナルデジタルアシスタントとの間の赤外線データ通信をさらに提供する、請求項２５に記載の薬剤送達システム。
【請求項２７】
前記注入ポンプの前記送達チャネルが、該チャネルを同定するチャネルデータを含む第三のラベルを有し、該チャネルデータが、前記パーソナルデジタルアシスタントのバーコードスキャナによって走査されるように、機械読取り可能形式である、請求項１６に記載の薬剤送達システム。
【請求項２８】
薬局情報システムが、前記薬剤データおよび前記薬剤を送達するための前記予め決定されたポンプの設定の指示を含むプリントストリームを作製し、そして前記第一のバーコードラベルが、該プリントストリームから送達されるデータおよび指示で符号化されている、請求項１６に記載の薬剤送達システム。
【請求項２９】
薬剤送達システムであって、以下：
（ａ）薬剤容器であって、処方された薬剤、ならびに該処方された薬剤に関するデータおよび該処方された薬剤の送達の指示を含む第一のラベルを備え、該薬剤データおよび薬剤送達指示は、機械読取り可能な形式で提供されている、薬剤容器；
（ｂ）患者によって装着されるように適合されたタグであって、該タグは、該患者に関するデータを含む第二のラベルを有し、該患者データは、機械読取り可能な形式で提供されている、タグ；
（ｃ）携帯型電算デバイスであって、以下：
該処方された薬剤データ、該薬剤送達指示、および該患者データを読み取るための手段；
該データを格納するための手段；ならびに
他の電子デバイスと通信するための手段、
を備える、携帯型電算デバイス；ならびに
（ｄ）電子薬剤送達デバイスであって、該携帯型電算デバイスと通信して、該薬剤送達指示を該携帯型デバイスから受信し、そして該薬剤容器内の該処方された薬剤を、カテーテルを介して該患者に送達するための手段を有し、該薬剤送達デバイスは、少なくとも１つの送達チャネルを有する、薬剤送達デバイス、
を備え、該携帯型電算デバイスは、該処方された薬剤データおよび該患者データを読み取り、そして格納し、該処方された薬剤データと該患者データとの間の一致チェックを実施して、一致を確認し、そして該薬剤送達指示を、該電子薬剤送達デバイスに通信して、該患者に該薬剤を送達する、薬剤送達システム。
【請求項３０】
前記薬剤容器が、ＩＶバッグであり、そして前記処方された薬剤が、ＩＶ薬物である、請求項２９に記載の薬剤送達システム。
【請求項３１】
前記薬剤送達デバイスが、注入ポンプである、請求項２９に記載の薬剤送達システム。
【請求項３２】
前記患者データを含むタグが、前記患者によって装着されるように適合された腕輪である、請求項２９に記載の薬剤送達システム。
【請求項３３】
前記処方された薬剤および該処方された薬剤の前記送達の指示の、前記機械読取り可能なデータが、線形バーコード、二次元バーコード、印刷されたデータ符号化技術、高周波数同定技術、磁気ストライプまたはテープ、光学特徴認識技術、および光学ホログラムからなる群より選択される形式で符号化されている、請求項２９に記載の薬剤送達システム。
【請求項３４】
前記機械読取り可能な処方された薬剤データおよび薬剤送達指示が、二次元バーコードで符号化されている、請求項２９に記載の薬剤送達システム。
【請求項３５】
前記機械読取り可能な患者データが、線形バーコード、二次元バーコード、印刷されたデータ符号化技術、高周波数同定技術、磁気ストライプまたはテープ、光学特徴認識技術、および光学ホログラムからなる群より選択される形式で符号化されている、請求項２９に記載の薬剤送達システム。
【請求項３６】
前記機械読取り可能な患者データが、二次元バーコードで符号化されている、請求項２９に記載の薬剤送達システム。
【請求項３７】
前記第一のラベルおよび前記第二のラベルが、薬局情報システムからのプリントデータストリームを利用するソフトウェアインターフェースアプリケーションによって作製される、請求項２９に記載の薬剤送達システム。
【請求項３８】
前記携帯型電算デバイスの、前記処方された薬剤データ、前記薬剤送達指示、および前記患者データを読み取る手段が、バーコードスキャナ、高周波数同定読取器、磁気ストライプまたはテープ読取器および光学読取器からなる群より選択される、請求項２９に記載の薬剤送達システム。
【請求項３９】
前記携帯型電算デバイスの、前記処方された薬剤データ、前記薬剤送達指示、および前記患者データを読み取る手段が、二次元バーコードスキャナである、請求項２９に記載の薬剤送達システム。
【請求項４０】
前記薬剤データを含む第一のラベルが、テキストと統合された二次元バーコードである、請求項２９に記載の薬剤送達システム。
【請求項４１】
前記患者データを含む第二のラベルが、テキストと統合された二次元バーコードである、請求項２９に記載の薬剤送達システム。
【請求項４２】
前記薬剤データを含む第一のラベルが、テキストと統合された高周波数同定プログラミングである、請求項２９に記載の薬剤送達システム。
【請求項４３】
前記患者データを含む第二のラベルが、テキストと統合された高周波数同定プログラミングである、請求項２９に記載の薬剤送達システム。
【請求項４４】
前記他の電子デバイスと通信するための手段が、赤外線伝達による、請求項２９に記載の薬剤送達システム。
【請求項４５】
前記携帯型電算デバイスが、パーソナルデジタルアシスタントである、請求項２９に記載の薬剤送達システム。
【請求項４６】
前記薬剤送達デバイスが、前記携帯型電算デバイスと該薬剤送達デバイスとの間の通信を容易にするためのアダプタをさらに備える、請求項２９に記載の薬剤送達システム。
【請求項４７】
前記薬剤送達デバイスの前記アダプタが、該薬剤送達デバイスと前記携帯型電算デバイスとの間の赤外線データ通信をさらに提供する、請求項４６に記載の薬剤送達システム。
【請求項４８】
前記薬剤送達デバイスが、複数のチャネルを有し、各チャネルが、該チャネルを同定するチャネルデータを含む第三のラベルを有し、該チャネルデータが、前記携帯型電算デバイスに伝達されるために、機械読取り可能な形式である、請求項２９に記載の薬剤送達システム。
【請求項４９】
前記カテーテルが、該カテーテルを同定するカテーテルデータを含む第四のラベルを有し、該カテーテルデータは、前記携帯型電算デバイスに伝達されるために、機械読取り可能な形式である、請求項２９に記載の薬剤送達システム。
【請求項５０】
薬剤を保持する薬剤容器上の第一のラベルからの処方された薬剤データ、および患者によって装着されるように適合されたタグ上の第二のラベルからの患者データと通信し得、そしてこれらを一致させ得る薬剤送達システムであって、該第一のラベルはまた、該薬剤の送達の指示を含み、そして該データおよび指示は、機械読取り可能な形式で提供されており、該薬剤送達システムは、以下：
（ａ）携帯型電算デバイスであって、以下：
該処方された薬剤データ、薬剤送達指示、および患者データを読み取るための手段；
該データを格納するための手段；ならびに
他の電子デバイスと通信するための手段、
を備える、携帯型電算デバイス；ならびに
（ｂ）該薬剤を該患者に送達するための、電子薬剤送達デバイス、
を備え、該携帯型電算デバイスは、該処方された薬剤データおよび該患者データを読み取り、該処方された薬剤データと該患者データとの間の一致を確認するために、一致検査を実施し、そして該処方された薬剤の送達の該指示を、該薬剤送達デバイスと通信させて、該薬剤を該患者に送達する、薬剤送達システム。
【請求項５１】
前記携帯型電算デバイスが、パーソナルデジタルアシスタントである、請求項５０に記載の薬剤送達システム。
【請求項５２】
前記処方された薬剤データ、前記薬剤送達指示、および前記患者データを読み取るための前記手段が、バーコードスキャナ、高周波数同定読取器、磁気ストライプまたはテープ読取器、および光学読取器からなる群より選択される、請求項５０に記載の薬剤送達システム。
【請求項５３】
前記携帯型電算デバイスの前記処方された薬剤データ、前記薬剤送達指示、および前記患者データを読み取るための前記手段が、二次元バーコードスキャナである、請求項５０に記載の薬剤送達システム。
【請求項５４】
前記他の電子デバイスと通信するための手段が、赤外線伝達による、請求項５０に記載の薬剤送達システム。
【請求項５５】
前記薬剤送達デバイスが、電子注入ポンプであり、該電子注入ポンプが、少なくとも１つの送達チャネルを有する、請求項５０に記載の薬剤送達システム。
【請求項５６】
前記電子注入ポンプの前記送達チャネルが、該チャネルを同定するチャネルデータを含む、第三のラベルを有し、該チャネルデータが、前記携帯型電算デバイスに伝達されるように、機械読取り可能な形式である、請求項５５に記載の薬剤送達システム。
【請求項５７】
前記薬剤送達デバイスが、前記携帯型電算デバイスと該薬剤送達デバイスとの間の通信を容易にするためのアダプタをさらに有する、請求項５０に記載の薬剤送達システム。
【請求項５８】
前記薬剤送達デバイスの前記アダプタが、該薬剤送達デバイスと前記携帯型電算デバイスとの間に、赤外線データ通信をさらに提供する、請求項５７に記載の薬剤送達システム。